(57)【要約】【課題】  ページ画像の抜けと、ページ画像に表示されたノンブルの一致または不一致を効率よく確認することが可能なノンブル処理装置を提供する。【解決手段】  印刷物のページの番号を含むファイル名を有し、ページの画像であるページ画像を記録したページ画像ファイルを記憶したページ画像記憶手段２０、ページ画像の所定の位置に、切抜枠を設定する切抜枠設定手段１４、切抜枠設定手段によって設定された切抜枠で囲まれる部分を、各ページ画像からノンブル画像として切り抜く画像切抜手段１６、画像切抜手段１６により切り抜かれた各ノンブル画像を前記ページ画像ファイルの各ファイル名と対応付けて表示するノンブル画像表示手段１７を有する。【選択図】  図２
2017184078.tif 000002
【特許請求の範囲】
【請求項１】
印刷物のページの番号を含むファイル名を有し、当該ページの画像であるページ画像を記録したページ画像ファイルを記憶したページ画像記憶手段と、
前記ページ画像の所定の位置に、切抜枠を設定する切抜枠設定手段と、
前記切抜枠設定手段によって設定された切抜枠で囲まれる部分を、各ページ画像からノンブル画像として切り抜く画像切抜手段と、
前記画像切抜手段により切り抜かれた各ノンブル画像を前記ページ画像ファイルの各ファイル名と対応付けて表示するノンブル画像表示手段と、
を有することを特徴とするノンブル処理装置。
【請求項２】
前記ページ画像記憶手段に記憶された所定のページ画像について、当該ページ画像の所定の２点の座標を利用して、ページ画像の対応する用紙サイズを計測する計測手段と、
前記計測手段により計測された用紙サイズに基づいて、前記ページ画像を用紙サイズに対応した大きさで表示するページ画像表示手段と、を更に有し、
前記切抜枠設定手段は、前記ページ画像表示手段を用いて指定された位置に基づいて、切抜枠を設定するものであることを特徴とする請求項１に記載のノンブル処理装置。
【請求項３】
各ページ画像ファイルについて、ファイル名がページの番号を含み、当該ページの番号が直前に読み取ったファイルに対して昇順となっているか否かを判定するファイル名判定手段を更に有し、
前記画像切抜手段は、前記ファイル名判定手段によって、ファイル名がページの番号を含み、当該ページの番号が直前に読み取ったファイルに対して昇順となっていると判定されたページ画像ファイルのみに対して、当該ページ画像ファイル内のページ画像からノンブル画像を切り抜くものであることを特徴とする請求項１または請求項２に記載のノンブル処理装置。
【請求項４】
コンピュータを、請求項１から請求項３のいずれか一項に記載のノンブル処理装置として機能させるためのプログラム。
【発明の詳細な説明】
【技術分野】
【０００１】
本発明は、複数ページに渡る印刷物をスキャンすることにより得られた複数の画像データのノンブルを検査するための技術に関する。
【背景技術】
【０００２】
従来、書籍電子化の分野では、過去に作成された書籍や雑誌、その他の紙資料等の印刷物を、イメージスキャナでスキャン（走査）、またはデジタルカメラで撮影してデジタル化し、画像データを取得した後、様々な用途に利用、加工することが行われている。電子化のためには、書籍の各ページをイメージスキャナやデジタルカメラで取り込む必要があり、取り込んだ画像データを納品する前にページの抜けが無いかを検査することが必要である。このような印刷物における複数のページの検査効率を向上させるため、取り込まれたページ画像に表示されるノンブルを含む部分を囲むノンブル枠を当該ページ画像に対して設定し、ノンブル枠により囲まれる部分のノンブル画像をページ画像から切り抜いて抽出し、抽出された複数のノンブル画像をディスプレイに一覧表示させる技術が開発されている（特許文献１参照）。
【先行技術文献】
【特許文献】
【０００３】
【特許文献１】特開２０１４−１７７１４号公報
【発明の概要】
【発明が解決しようとする課題】
【０００４】
従来の手法では、見開き２ページのうち、片側の１ページをスキャンした場合に、どのページが抜けているかを瞬時に判断することが難しいという問題がある。例えば、上記特許文献１に記載の発明においては、ノンブルの数字がファイル名と１対１で対応していない。特許文献１に記載の発明のように、書籍のノンブルと異なる数字や文字のファイル名で保存されているスキャン画像においては、ファイル名だけでは中身の判別がつかず、その都度スキャン画像のノンブルを確認する必要があり、検査効率低下の原因となっている。
【０００５】
そこで、本発明は、ページ画像の抜けと、ページ画像に表示されたノンブルの一致または不一致を効率よく確認することが可能なノンブル処理装置を提供することを課題とする。
【課題を解決するための手段】
【０００６】
上記課題を解決するため、本発明では、
印刷物のページの番号を含むファイル名を有し、当該ページの画像であるページ画像を記録したページ画像ファイルを記憶したページ画像記憶手段と、
前記ページ画像の所定の位置に、切抜枠を設定する切抜枠設定手段と、
前記切抜枠設定手段によって設定された切抜枠で囲まれる部分を、各ページ画像からノンブル画像として切り抜く画像切抜手段と、
前記画像切抜手段により切り抜かれた各ノンブル画像を前記ページ画像ファイルの各ファイル名と対応付けて表示するノンブル画像表示手段と、
を有することを特徴とするノンブル処理装置を提供する。
【０００７】
本発明によれば、印刷物のページの番号を含むファイル名を有し、ページの画像であるページ画像を記録したページ画像ファイルを記憶しておき、ページ画像の所定の位置に、切抜枠を設定し、設定された切抜枠で囲まれる部分を、各ページ画像からノンブル画像として切り抜き、切り抜かれた各ノンブル画像をページ画像ファイルの各ファイル名と対応付けて表示するようにしたので、ページ画像の抜けと、ページ画像に表示されたノンブルの一致または不一致を効率よく確認することが可能となる。
【０００８】
また、本発明では、
前記ページ画像記憶手段に記憶された所定のページ画像について、当該ページ画像の所定の２点の座標を利用して、ページ画像の対応する用紙サイズを計測する計測手段と、
前記計測手段により計測された用紙サイズに基づいて、前記ページ画像を用紙サイズに対応した大きさで表示するページ画像表示手段と、を更に有し、
前記切抜枠設定手段は、前記ページ画像表示手段を用いて指定された位置に基づいて、切抜枠を設定するものであることを特徴とする。
【０００９】
本発明によれば、記憶された所定のページ画像について、ページ画像の所定の２点の座標を利用して、ページ画像の対応する用紙サイズを計測し、計測された用紙サイズに基づいて、ページ画像を用紙サイズに対応した大きさで表示し、その表示に対して指定された位置に基づいて、切抜枠を設定するようにしたので、ノンブルを切り抜く位置を的確に設定することが可能となる。
【００１０】
また、本発明では、
各ページ画像ファイルについて、ファイル名がページの番号を含み、当該ページの番号が直前に読み取ったファイルに対して昇順となっているか否かを判定するファイル名判定手段を更に有し、
前記画像切抜手段は、前記ファイル名判定手段によって、ファイル名がページの番号を含み、当該ページの番号が直前に読み取ったファイルに対して昇順となっていると判定されたページ画像ファイルのみに対して、当該ページ画像ファイル内のページ画像からノンブル画像を切り抜くものであることを特徴とする。
【００１１】
本発明によれば、各ページ画像ファイルについて、ファイル名がページの番号を含み、ページの番号が直前に読み取ったファイルに対して昇順となっているか否かを判定し、ファイル名がページの番号を含み、ページの番号が直前に読み取ったファイルに対して昇順となっていると判定されたページ画像ファイルのみに対して、ページ画像ファイル内のページ画像からノンブル画像を切り抜くようにしたので、不適切なファイルからノンブル画像が切り抜かれて表示されることを防ぐことが可能となる。
【発明の効果】
【００１２】
本発明によれば、ページ画像の抜けと、ページ画像に表示されたノンブルの一致または不一致を効率よく確認することが可能となる。
【図面の簡単な説明】
【００１３】
【図１】本発明の一実施形態に係るノンブル処理装置主要部のハードウェア構成図である。
【図２】本発明の一実施形態に係るノンブル処理装置の構成を示す機能ブロック図である。
【図３】本発明の一実施形態に係るノンブル処理装置の処理動作を示すフローチャートである。
【図４】ノンブル画像が表示装置６０に一覧表示された場合の画面の一例を示す図である。
【発明を実施するための形態】
【００１４】
＜１．装置構成＞
以下、本発明の好適な実施形態について図面を参照して詳細に説明する。図１は、本発明の一実施形態に係るノンブル処理装置主要部のハードウェア構成図である。ノンブル処理装置は、パーソナルコンピュータ等の汎用のコンピュータで実現することができる。図１に示すように、ＣＰＵ（Central Processing Unit）１と、コンピュータのメインメモリであるＲＡＭ（Random Access Memory）２と、ＣＰＵ１が実行するプログラムやデータを記憶するためのハードディスク、フラッシュメモリ等の大容量の記憶装置３と、キーボードやマウス等の入力機器からの指示入力を受け付ける指示入力Ｉ／Ｆ（インタフェース）４と、データ記憶媒体等の外部装置とデータ通信するためのデータ入出力Ｉ／Ｆ（インタフェース）５と、液晶ディスプレイ、有機ＥＬディスプレイ等の表示装置に情報を送出するための表示出力Ｉ／Ｆ（インタフェース）６を備えており、これらの構成要素は互いにバスを介して接続されている。
【００１５】
図２は、本実施形態に係るノンブル処理装置の構成を示す機能ブロック図である。図２において、１０は演算処理部、２０はページ画像記憶手段、３０はノンブル画像記憶手段、４０はイメージスキャナ、５０は指示入力機器、６０は表示装置である。また、演算処理部１０は、図１に示したＲＡＭ２にプログラムを読み込んで、ＣＰＵ１が実行することにより実現されるものであり、ページ画像取込手段１１、計測手段１２、ページ画像表示手段１３、切抜枠設定手段１４、ファイル名判定手段１５、画像切抜手段１６、ノンブル画像表示手段１７として機能する。図２における指示入力Ｉ／Ｆ４、データ入出力Ｉ／Ｆ５、表示出力Ｉ／Ｆ６と演算処理部１０が、図１のノンブル処理装置主要部に対応している。
【００１６】
ページ画像記憶手段２０は、イメージスキャナ４０により書籍の各ページを読み取ることにより得られたページ画像を記憶する手段である。ノンブル画像記憶手段３０は、ページ画像から切り抜かれたノンブル画像を記憶する手段である。ページ画像記憶手段２０、ノンブル画像記憶手段３０は、記憶装置３内に所定の記憶領域を確保することにより実現される。イメージスキャナ４０は、書籍の紙面をスキャンすることにより画像データを取得する装置であり、市販のブックスキャナ、フラットベッド型スキャナ等を用いることができる。指示入力機器５０は、演算処理部１０に対して外部からの指示入力を与える機器であり、キーボード、マウス、タッチパネルのタッチ入力機構等により実現される。表示装置６０は、液晶ディスプレイ、有機ＥＬディスプレイ等により実現される。
【００１７】
ページ画像取込手段１１は、イメージスキャナ４０が紙面を走査（スキャン）することにより取得したページ画像を取り込み、ページ画像記憶手段２０に記憶させる手段である。計測手段１２は、ページ画像記憶手段２０に記憶された所定のページ画像について、ページ画像の所定の２点の座標を利用して、ページ画像の対応する用紙サイズを計測する手段である。ページ画像表示手段１３は、計測手段１２により計測された用紙サイズに基づいて、ページ画像を用紙サイズに対応した大きさで表示する手段である。切抜枠設定手段１４は、ページ画像表示手段１３を用いて指定された位置に基づいて、切抜枠を設定する手段である。ファイル名判定手段１５は、ページ画像ファイルについて、ファイル名がページの番号を含み、ページの番号が直前に読み取ったファイルに対して昇順となっているか否かを判定する手段である。画像切抜手段１６は、切抜枠設定手段１４によって設定された切抜枠で囲まれる部分を、各ページ画像からノンブル画像として切り抜く手段である。ノンブル画像表示手段１７は、画像切抜手段１６により切り抜かれた各ノンブル画像をページ画像ファイルの各ファイル名と対応付けて表示する手段である。
【００１８】
図２に示した各構成手段は、現実には図１に示したように、コンピュータおよびその周辺機器等のハードウェアに専用のプログラムを搭載することにより実現される。すなわち、コンピュータが、専用のプログラムに従って各手段の内容を実行することになる。なお、本明細書において、コンピュータとは、ＣＰＵ等の演算処理部を有し、データ処理が可能な装置を意味する。
【００１９】
図１に示した記憶装置３には、ＣＰＵ１を動作させ、コンピュータを、ノンブル処理装置として機能させるための専用のプログラムが実装されている。この専用のプログラムを実行することにより、ＣＰＵ１は、ページ画像取込手段１１、計測手段１２、ページ画像表示手段１３、切抜枠設定手段１４、ファイル名判定手段１５、画像切抜手段１６、ノンブル画像表示手段１７としての機能を実現することになる。また、記憶装置３は、ページ画像記憶手段２０、ノンブル画像記憶手段３０として機能するだけでなく、ノンブル処理装置としての処理に必要な様々なデータを記憶する。また、演算処理部１０は、記憶装置３に記憶されたページ画像の解像度と、表示装置６０の画面の解像度に基づいて、ページ画像上の座標と、表示装置６０の画面上の座標の対応関係を把握しており、所定のプログラムを実行することにより互いに変換可能としている。
【００２０】
＜２．事前準備＞
まず、事前準備として、印刷物である紙の書籍の各ページのノンブルを読み取ってファイル化する作業を行う。この事前準備は、イメージスキャナ４０を用いて書籍の各ページをスキャン（走査）することにより行われる。事前準備に用いるイメージスキャナ４０としては、特に限定されず、様々なものを用いることができる。例えば、綴じられた書籍を読み取るために専用に開発されたブックスキャナを用いてもよいし、綴じられた書籍用に特化されたものではなく、分離された用紙にも適用可能なフラットベッド型スキャナを用いてもよい。
【００２１】
ページ画像取込手段１１は、イメージスキャナ４０が紙面をスキャンすることにより取得したページ画像を取り込む際、取り込んだページ画像をファイル化する。この際、ファイル化する順番に、その順番に対応した数字を含める形式でファイル名を付与する。そのため、最初に読み込ませるページをページ１とすると、ファイル名には、「１」を含める形式でファイル名が付与される。例えば、読み取った画像をＴＩＦＦ形式で記録する場合、「００１．ｔｉｆ」のようなファイル名が付与されることになる。
【００２２】
したがって、イメージスキャナ４０とページ画像取込手段１１を用いて順番に紙面を順次読み取っていった場合、「００１．ｔｉｆ」には「ページ１」、「００２．ｔｉｆ」には「ページ２」、「００３．ｔｉｆ」には「ページ３」、・・・というように、各ページ画像ファイルには、ファイル名に含まれる数字と対応するページの画像であるページ画像が記録されることになる。イメージスキャナ４０による読み取りの態様としては、その紙面全てが読取範囲内に収まるような位置および距離となるようにして行う。したがって、得られるページ画像ファイル内には、紙面の端から端までの全てを含む画像が記録される。イメージスキャナ４０の読み取りにより得られたページ画像ファイルは、ページ画像記憶手段２０に格納される。この際、１つの書籍については、１つのフォルダに格納されるように行われる。また、ページ画像ファイルをフォルダに格納する際、ページ画像取込手段１１により取り込まれた順序を記録しておくようにしている。
【００２３】
＜３．処理動作＞
次に、本実施形態に係るノンブル処理装置の処理動作について説明する。図３は、本実施形態に係るノンブル処理装置の処理動作を示すフローチャートである。まず、ノンブル処理装置は、処理対象とするページ画像ファイルが記録されているフォルダを指定するよう促すメッセージを画面に表示する。具体的には、表示出力Ｉ／Ｆ６を介して、接続された表示装置６０に画面データを出力する。表示されたメッセージに従い、作業者が指示入力機器５０を用いて指示を行い、その指示に基づき、指示入力Ｉ／Ｆ４を介してフォルダが指定されると、演算処理部１０は、指定されたフォルダを処理対象のフォルダとして選択する（ステップＳ１）。これにより、そのフォルダに対応付けて記憶されたページ画像ファイル群が処理対象として特定されることになる。
【００２４】
処理対象のフォルダが選択されたら、次に、演算処理部１０は、選択されたフォルダ内において、任意の１つのページ画像ファイルを処理対象として選択する（ステップＳ２）。上述のように、１つのフォルダ内のページ画像ファイルは、ページ画像取込手段１１により取り込まれた順序に従って記憶されている。そのため、ここでは、その順序が最初のものを選択する。通常は、１ページ目（ページ１）のページ画像を記録したページ画像ファイルが選択されることになる。
【００２５】
処理対象のページ画像ファイルが選択されたら、次に、計測手段１２が、選択されたページ画像ファイル内のページ画像の用紙サイズを計測して表示する（ステップＳ３）。具体的には、まず、ページ画像ファイルに記録されたページ画像データの用紙部分の左上端および右下端の２点の座標を取得する。このために、まず、ページ画像表示手段１３が、ページ画像の表示を行う。具体的には、フォルダから読み込んだページ画像を表示装置６０に表示させる。上述のように、演算処理部１０は、ページ画像の解像度と、表示装置６０の画面の解像度との関係から、ページ画像上の座標と、表示装置６０の画面上の座標の対応関係を把握し、互いに変換可能としている。そして、利用者が、指示入力機器５０を用いて表示されたページ画像の左上端と右下端の２点を指定する。指定された２点の座標は、指示入力Ｉ／Ｆ４を介して入力され、計測手段１２は、演算処理部１０が把握している対応関係から、指定された２点の画像上の座標を取得する。計測手段１２は、取得した左上端および右下端の座標を、ページ部分の対角の２点として認識する。
【００２６】
続いて、計測手段１２は、ページ部分と背景部分の画素値の差、および取得した左上端および右下端の座標から、矩形状のページの輪郭処理を行い、矩形状のページの３点目の頂点の座標を取得する。これにより、左上端および右下端と、もう一端の計３点の頂点の座標が取得されることになる。計測手段１２は、この３点の座標値と、画素の大きさと現実の長さの関係に基づいて、矩形状のページの縦、横の長さを算出し、用紙サイズを特定する。続いて、ページ画像表示手段１３が、計測された用紙サイズの縦寸法、および横寸法に対応した大きさで、ページ画像を表示する。この際、傾きを補正し、矩形状のページの左右方向が表示画面の左右方向と一致するような状態として、ページ画像を表示する。ページ画像を用紙サイズに対応した大きさで表示することにより、実際の紙面をイメージした状態で切抜枠を設定し易くなる。
【００２７】
ページ画像が表示されたら、次に、切抜枠設定手段１４の動作により、ページ画像中のノンブルを含む範囲を切抜枠として設定する（ステップＳ４）。具体的には、まず、切抜枠設定手段１４は、事前に設定された位置に矩形状の枠を配置する。事前に設定された位置としては、用紙サイズに合わせて、ノンブルが配置されそうなページ画像上の位置に適宜設定しておくことができる。この枠がノンブル画像を切り抜くための切抜枠となる。そして、ページ画像上に切抜枠を配置した（重ねて表示した）状態を表示装置６０に表示する。表示の結果、枠内にノンブルが収まっていない場合には、利用者は、指示入力機器５０を操作することにより指示入力Ｉ／Ｆ４を介して、切抜枠の変更を指示する。すなわち、利用者は、切抜枠内にノンブルが収まるように、切抜枠の位置および大きさを指示する。指示入力機器５０による指示に基づき、切抜枠設定手段１４は、その位置および大きさの切抜枠を設定する。具体的には、指示入力機器５０により指示された画面上の座標値により切抜枠の位置および大きさをページ画像上の座標として特定することにより枠を設定する。
【００２８】
切抜枠が設定されたら、次に、ファイル名判定手段１５は、選択されたフォルダ内のページ画像ファイルを、ファイル名に含まれる数字が昇順となるように順次抽出し、そのファイル名が３桁の番号を含んでいるか否かを判定する（ステップＳ５）。実際には、３桁の番号であるだけでなく、３桁の番号が、直前に抽出したファイル名に含まれる番号から、昇順となっているか否かについても判定する。上述のように、１つのフォルダ内のページ画像ファイルは、ページ画像取込手段１１により取り込まれた順序に従って記憶されているので、ステップＳ５においても取り込まれた順にページ画像ファイルを読み込み、処理を行う。先頭（１ページ目）のページ画像ファイルについては、直前のページ画像ファイルが存在しないため、そのファイル名が３桁の番号を含んでいるか否かだけを判定する。
【００２９】
ステップＳ５において、３桁の番号を含み昇順となっている場合は、画像切抜手段１６が、そのページ画像ファイル内のページ画像から、設定された切抜枠内をノンブル画像として切り抜く（ステップＳ６）。そして、画像切抜手段１６は、抽出されたノンブル画像を、ページ画像のファイル名と対応付けてノンブル画像記憶手段３０内に記憶させる。この際、ページ画像記憶手段２０内の１つのフォルダに対しては、ノンブル画像記憶手段３０内の１つのフォルダに格納されるように行われる。また、フォルダに格納する際、画像切抜手段１６により切り抜かれた順序（ページ画像記憶手段２０に記憶された順でもある）を記録しておくようにしている。続いて、演算処理部１０は、選択されたフォルダ内の全てのページ画像ファイルについて、処理を終えたか否かを判定する（ステップＳ７）。全てのページ画像ファイルについて処理を終えていない場合には、ステップＳ５に戻り、次のページ画像ファイルに対して処理を行う。
【００３０】
ステップＳ５において、ファイル名が３桁の番号でないか、３桁の番号であっても昇順となる番号のものが見つからない場合は、そのページ画像ファイルに対してはステップＳ６におけるノンブル画像の切り抜きは行わない。切り抜きを行わなかった場合には、切り抜きを行わなかった旨と、その順序をノンブル画像記憶手段３０内に記憶させる。ステップＳ７において選択されたフォルダ内の全てのページ画像ファイルについて処理を終えたと判定された場合には、ノンブル画像表示手段１７が、切り抜かれたノンブル画像の一覧表示を行う（ステップＳ８）。具体的には、ノンブル画像記憶手段３０内に記憶されたノンブル画像と、対応するページ画像のファイル名を表示装置６０の画面に一覧表示する。
【００３１】
ノンブル画像表示手段１７は、ノンブル画像記憶手段３０内の１つのフォルダに格納されたノンブル画像を、対応するページ画像のファイル名と対応付けて表示する。上述のように、ノンブル画像の切り抜かれた順序が記憶されているので、この順序に従って並べることにより一覧表示を行う。切り抜きが行われなかったページ画像ファイルが存在する場合は、その順序には、ページ画像ファイルのファイル名も表示しない。
【００３２】
図４は、ノンブル画像が表示装置６０に一覧表示された場合の画面の一例を示す図である。図４の例では、縦５行×横１０列に５０個のノンブル画像が一覧表示されている。各ノンブル画像については、１から始まる昇順の数である読取順６１の下に、ファイル名６２「・・・．ｔｉｆ」が表示され、ファイル名の下にノンブル画像６３が表示されている。正しく読み取られている場合には、読取順６１、ファイル名６２に含まれる数字、ノンブル画像６３が表現する数字が全て一致することになる。図４の例では、読取順「１」「１８」「３３」に対応するファイル名６２、ノンブル画像６３に対応する欄が空欄となっている。これは、上記ステップＳ５において、ファイル名が３桁の番号でないか、３桁の番号であっても昇順となる番号でなかったため、ノンブル画像の切り抜きが行われなかったことを示している。
【００３３】
画面の最上端には、検索開始ボタンと検索対象のアドレス入力欄が設けられている。アドレス入力欄にフォルダを入力して検索ボタンを操作することにより、特定のフォルダ内のノンブル画像を一覧表示させることが可能となっている。検索開始ボタンの下には、Ｐａｇｅタグが設けられている。Ｐａｇｅタグを選択することにより、選択したＰａｇｅの画像を一覧表示させることが可能となっている。図４の例では、８つのＰａｇｅが選択可能である中、Ｐａｇｅ１が選択され、選択されたＰａｇｅ１に対応するノンブル画像が表示された状態を示している。なお、この「Ｐａｇｅ」は、画面において、ノンブル画像を一覧表示させる単位のＰａｇｅであり、書籍の「ページ」とは無関係である。
【００３４】
画面右側には、最上端にリセットボタンが設けられ、その下方に関連情報が表示されている。リセットボタンは、表示中のノンブル画像の表示を終了し、異なるフォルダの表示に移行する際に用いるボタンである。関連情報としては、上から検査ページ番号、開き、用紙サイズ、ノンブル画像、ノンブル切り取り情報（ノンブル切り抜き情報）、切り取る（切り抜く）大きさが表示されている。
【００３５】
「検査ページ番号」は、書籍のページに対応している。「開き」は、書籍が左開きであるか、右開きであるかを示している。「用紙サイズ」は、上記ステップＳ３において計測された書籍の用紙サイズであり、計測された縦×横のサイズをｍｍ単位、画素単位等で表示することができる。「ノンブル画像」は、上記ステップＳ６において抽出されたノンブル画像のファイルの種類と解像度を示している。「ノンブル切り取り情報」は、ページ画像からノンブル画像が切り取られた（切り抜かれた）位置、すなわち上記ステップＳ４において設定された切抜枠の位置を、基準となる一点と切り取る（切り抜く）大きさ（枠の大きさ）により示している。
【００３６】
図４に示すように、各ページ画像について、そのファイル名がページの番号を含む形式で、切り抜かれたノンブル画像と対応付けて表示されているので、イメージスキャナにより的確にページ画像が取り込まれたか否かを、効率的に判断することが可能となる。
【００３７】
以上、本発明の好適な実施形態について説明したが、本発明は上記実施形態に限定されず、種々の変形が可能である。例えば、上記実施形態では、所定のページ画像について、所定の２点の座標を利用して、ページ画像の対応する用紙サイズを計測し、計測された用紙サイズに基づいて、ページ画像を用紙サイズに対応した大きさで表示し、表示されたページ上で、切抜枠を設定するようにしたが、ページ画像が適切なサイズで取り込まれていることが確実な場合は、ページ上の所定の位置に切抜枠を自動的に設定するようにしてもよい。
【００３８】
また、上記実施形態では、ファイル名がページの番号を含み、ページの番号が直前に読み取ったファイルに対して昇順となっているか否かを判定し、ファイル名がページの番号を含み、当該ページの番号が直前に読み取ったファイルに対して昇順となっていると判定されたページ画像ファイルのみに対して、ページ画像ファイル内のページ画像からノンブル画像を切り抜くようにしたが、全てのページ画像からノンブル画像を切り抜くようにしてもよい。
【符号の説明】
【００３９】
１・・・ＣＰＵ（Central Processing Unit）
２・・・ＲＡＭ（Random Access Memory）
３・・・記憶装置
４・・・指示入力Ｉ／Ｆ
５・・・データ入出力Ｉ／Ｆ
６・・・表示出力Ｉ／Ｆ
１０・・・演算処理部
１１・・・ページ画像取込手段
１２・・・計測手段
１３・・・ページ画像表示手段
１４・・・切抜枠設定手段
１５・・・ファイル名判定手段
１６・・・画像切抜手段
１７・・・ノンブル画像表示手段
２０・・・ページ画像記憶手段
３０・・・ノンブル画像記憶手段
４０・・・イメージスキャナ
５０・・・指示入力機器
６０・・・表示装置
６１・・・読取順
６２・・・ファイル名
６３・・・ノンブル画像
【図１】
2017184078.tif 000003
【図２】
2017184078.tif 000004
【図３】
2017184078.tif 000005
【図４】
2017184078.tif 000006